(57)【要約】【課題】映像品質が悪い動画像が表示部に表示されることを回避することができる画像表示装置を提供する。【解決手段】表示部１６と、前記表示部の特性と前記表示部により表示する動画像の動画像データの特性との比較結果に基づいて前記動画像データから代表画像を抽出するか否かを判別する判別部４と、前記判別部による判別結果に基づいて前記代表画像が抽出された場合には、前記動画像に代えて前記代表画像を前記表示部に表示する表示制御部１８とを備える。【選択図】図１
2012088483.tif 000002
【特許請求の範囲】
【請求項１】
表示部と、
前記表示部の特性と前記表示部により表示する動画像の動画像データの特性との比較結果に基づいて前記動画像データから代表画像を抽出するか否かを判別する判別部と、
前記判別部による判別結果に基づいて前記代表画像が抽出された場合には、前記動画像に代えて前記代表画像を前記表示部に表示する表示制御部と
を備えることを特徴とする画像表示装置。
【請求項２】
前記表示部の特性は前記表示部の解像度であり、前記動画像データの特性は前記動画像データの解像度であり、前記判別部は、前記表示部の解像度と前記動画像データの解像度とが等しい、または所定範囲内の場合には前記代表画像を抽出しないと判別し、前記所定範囲外の場合には前記代表画像を抽出すると判別することを特徴とする請求項１記載の画像表示装置。
【請求項３】
前記表示部の特性は前記表示部の色再現範囲であり、前記動画像データの特性は前記動画像データの色空間であり、前記判別部は、前記表示部の色再現範囲と前記動画像データの色空間とが等しい、または所定範囲内である場合には前記代表画像を抽出しないと判別し、前記所定範囲外の場合には前記代表画像を抽出すると判別することを特徴とする請求項１記載の画像表示装置。
【請求項４】
前記表示部の特性は前記表示部の階調数であり、前記動画像データの特性は前記動画像データの階調数であり、前記判別部は、前記表示部の階調数と前記動画像データの階調数とが等しい、または所定範囲内である場合には前記代表画像を抽出しないと判別し、前記所定範囲外の場合には前記代表画像を抽出すると判別することを特徴とする請求項１記載の画像表示装置。
【請求項５】
前記表示制御部は、画像処理により前記表示部の特性に基づいて前記代表画像の特性を前記表示部の特性に合わせることを特徴とする請求項１〜４の何れか一項に記載の画像表示装置。
【発明の詳細な説明】
【技術分野】
【０００１】
本発明は、画像表示装置に関するものである。
【背景技術】
【０００２】
従来、静止画像及び動画像を再生することができるデジタルフォトフレームが存在する。なお、動画像から複数の静止画像を代表画像として抽出する技術は、例えば、特許文献１に記載されている。
【先行技術文献】
【特許文献】
【０００３】
【特許文献１】特開２００４−２５４０６５号公報
【発明の概要】
【発明が解決しようとする課題】
【０００４】
ところで、動画像をデジタルフォトフレームで再生する場合には、動画像データの解像度、色空間、階調数等の特性をＬＣＤ表示部の解像度、色再現範囲、階調数等の特性に合わせるために動画像データの特性を変更しつつ動画像を表示することが必要となるため、デジタルフォトフレームに搭載されている制御部の処理能力が低い場合には、制御部に処理負荷がかかりフレームレートが落ちるなど映像品質が悪い動画像が表示される場合があった。
【０００５】
本発明の目的は、映像品質が悪い動画像が表示部に表示されることを回避することができる画像表示装置を提供することである。
【課題を解決するための手段】
【０００６】
本発明の画像表示装置は、表示部と、前記表示部の特性と前記表示部により表示する動画像の動画像データの特性との比較結果に基づいて前記動画像データから代表画像を抽出するか否かを判別する判別部と、前記判別部による判別結果に基づいて前記代表画像が抽出された場合には、前記動画像に代えて前記代表画像を前記表示部に表示する表示制御部とを備えることを特徴とする。
【発明の効果】
【０００７】
本発明の画像表示装置によれば、映像品質が悪い動画像が表示部に表示されることを回避することができる。
【図面の簡単な説明】
【０００８】
【図１】第１の実施の形態に係るデジタルフォトフレームのシステム構成を示すブロック図である。
【図２】第１の実施の形態に係るデジタルフォトフレームの表示処理を説明するフローチャートである。
【図３】第１の実施の形態に係るＬＣＤ表示部の解像度の種類と動画像データの解像度の種類を示す図である。
【図４】第２の実施の形態に係るデジタルフォトフレームの表示処理を説明するフローチャートである。
【図５】第２の実施の形態に係るＬＣＤ表示部の色再現範囲の種類と動画像データの色空間の種類との関係を示す図である。
【図６】第３の実施の形態に係るデジタルフォトフレームの表示処理を説明するフローチャートである。
【発明を実施するための形態】
【０００９】
以下、図面を参照して本発明の第１の実施の形態に係る画像表示装置についてデジタルフォトフレーム（以下、ＤＰＦという。）を例に説明する。図１は、本発明の第１の実施の形態に係るＤＰＦのシステム構成を示すブロック図である。ＤＰＦ２の各部を統括的に制御するＣＰＵ４には、静止画像、動画像、音楽等のデータが記憶されたメモリカードが挿入されるメモリカードスロット６、ＵＳＢケーブルの端子等が接続されるＵＳＢポート８及びネットワークケーブルが接続されるネットワーク端子１０、メモリカードから読み出された動画像等のデータを一時的に記憶する内部メモリ１２が接続されている。
【００１０】
また、ＣＰＵ４には、鑑賞用の静止画像、動画像、時刻等の情報が電気的に表示されるＬＣＤ表示部１６の表示制御を行う表示制御部１８、スピーカ２０から出力される音楽や音声の出力制御を行う音声出力制御部２２、ＤＰＦ２の機能設定やＬＣＤ表示部１６の表示設定の際に使用する操作キー２４が接続されている。
【００１１】
次に、図２に示すフローチャートを参照して、本発明の第１の実施の形態に係るＤＰＦ２の表示処理について説明する。まずＣＰＵ４は、メモリカードスロット６に挿入されたメモリカードに記憶されている動画像データを取得し、取得した動画像データを内部メモリ１２に記憶する。また、ＣＰＵ４は、ＬＣＤ表示部１６からその特性である解像度（ａ値）を取得する（ステップＳ１１）。また、内部メモリ１２に記憶されている動画像データからその特性である解像度（ｂ値）を取得する（ステップＳ１２）。そして、取得したａ値とｂ値とを比較し（ステップＳ１３）、ａ値とｂ値とが等しいか否か、または所定範囲内で等しいか否かを判別する（ステップＳ１４）。
【００１２】
図３は、ＬＣＤ表示部１６の解像度の種類（ＶＧＡ、ＷＶＧＡ、ＳＶＧＡ等）と動画像データの解像度の種類（ＮＴＳＣ、ＰＡＬ、ＨＤＴＶ等）との総画素数比を示す表である。例えば、ＬＣＤ表示部１６の解像度の種類がＳＶＧＡであり、動画像データの解像度の種類がＰＡＬである場合には、ＬＣＤ表示部１６の総画素数（４８００００）と動画像データの総画素数（４４２３６８）の総画素数比は１．０８５となる。この場合には、ＣＰＵ４は、総画素数比が１以上１．５未満の範囲内、即ちａ値とｂ値とが所定範囲内で等しいと判別し（ステップＳ１４、Ｙｅｓ）、内部メモリ１２に記憶されている動画像データに基づいて動画像をＬＣＤ表示部１６に表示し（ステップＳ１５）、スピーカ２０からこの動画像データの音声を出力する。
【００１３】
一方、ＬＣＤ表示部１６の解像度の種類がＶＧＡであり、動画像データの解像度の種類がＰＡＬである場合には、ＬＣＤ表示部１６の総画素数（３０７２００）と動画像データの総画素数（４４２３６８）の総画素数比は０．６９４となる。また、ＬＣＤ表示部１６の解像度の種類がＸＧＡであり、動画像データの解像度の種類がＰＡＬである場合には、ＬＣＤ表示部１６の総画素数（７８６４３２）と動画像データの総画素数（４４２３６８）の総画素数比は１．７７８となる。従って、これらの場合には、ＣＰＵ４は、総画素数比が１以上１．５未満の範囲外、即ちａ値とｂ値が所定範囲外であると判別し（ステップＳ１４、Ｎｏ）、内部メモリ１２に記憶されている動画像データから動画像の最初のフレームを代表画像として抽出する（ステップＳ１６）。また、画像処理によりＬＣＤ表示部１６の解像度に基づいて代表画像の解像度をＬＣＤ表示部１６の解像度に合わせるように縮小・拡大を行い、縮小・拡大された代表画像を動画像に代えてＬＣＤ表示部１６に表示する（ステップＳ１７）。なお、図３の表において、ＬＣＤ表示部１６の解像度の種類がＳＶＧＡであり動画像データの解像度の種類がＰＡＬの場合以外にも、ＬＣＤ表示部１６の解像度の種類がＷＶＧＡであり動画像データの解像度の種類がＮＴＳＣ、ＬＣＤ表示部１６の解像度の種類がＳＶＧＡであり動画像データの解像度の種類がＮＴＳＣ、ＬＣＤ表示部１６の解像度の種類がＷＳＶＧＡであり動画像データの解像度の種類がＰＡＬ、ＬＣＤ表示部１６の解像度の種類がＷＸＧＡであり動画像データの解像度の種類がＨＤＴＶ（７２０ｐ）の場合には、総画素数比が１以上１．５未満の範囲内となり内部メモリ１２に記憶されている動画像データに基づく動画像がＬＣＤ表示部１６に表示される。一方、これらの場合以外には、総画素数比が１以上１．５未満の範囲外となり代表画像がＬＣＤ表示部１６に表示される。
【００１４】
本発明の第１の実施の形態に係るＤＰＦによれば、ＬＣＤ表示部の解像度と動画像データの解像度とが所定範囲内で等しくない場合には、動画像の表示に代えて代表画像をＬＣＤ表示部に表示するため、映像品質が悪い動画像がＬＣＤ表示部に表示されることを回避することができる。
【００１５】
次に、本発明の第２の実施の形態に係るＤＰＦについて説明する。なお、第２の実施の形態に係るＤＰＦの構成は、図１に示す第１の実施の形態に係るＤＰＦ２の構成と同一である。従って第１の実施の形態と同一の構成についての詳細な説明は省略し、第１の実施の形態と同一の符号を用いて説明する。
【００１６】
図４は、第２の実施の形態に係るＤＰＦ２の表示処理について説明するフローチャートである。まずＣＰＵ４は、メモリカードスロット６に挿入されたメモリカードに記憶されている動画像データを内部メモリ１２に記憶する。また、ＬＣＤ表示部１６からその特性である色再現範囲の情報（ａ値）を取得し（ステップＳ２１）、内部メモリ１２に記憶されている動画像データからその特性である色空間の情報（ｂ値）を取得する（ステップＳ２２）。また、取得したａ値とｂ値とを比較し（ステップＳ２３）、ａ値とｂ値とが等しいか否か、または所定範囲内で等しいか否かを判別する（ステップＳ２４）。
【００１７】
図５は、ＬＣＤ表示部１６の色再現範囲の種類（ｓＲＧＢ、ａｄｏｂｅＲＧＢ、ＮＴＳＣ）と動画像の色空間の種類（ｓＲＧＢ、ｘｖＹＣＣ）との関係を示す表である。例えば、ＬＣＤ表示部１６の色再現範囲の種類がｓＲＧＢであり動画像データの色空間の種類がｓＲＧＢ（ＲＥＣ７０９）である場合（図５に「○」で示す関係）にはａ値とｂ値とが等しい、または所定範囲内で等しいと判別し（ステップＳ２４、Ｙｅｓ）、内部メモリ１２に記憶されている動画像データに基づいて動画像をＬＣＤ表示部１６に表示し（ステップＳ２５）、スピーカ２０からこの動画像データの音声を出力する。
【００１８】
一方、ＣＰＵ４は、ＬＣＤ表示部１６の色再現範囲の種類がａｄｏｂｅＲＧＢであり、動画像データの色空間の種類がｓＲＧＢ（ＲＥＣ７０９）である場合等（図５に「×」で示す関係）には、ａ値とｂ値とが所定範囲外であると判別し（ステップＳ２４、Ｎｏ）、内部メモリ１２に記憶されている動画像データから動画像の最初のフレームを代表画像として抽出する（ステップＳ２６）。また、画像処理によりＬＣＤ表示部１６の色再現範囲に基づいて代表画像の色空間をＬＣＤ表示部１６の色再現範囲に合わせるように色空間変換を行い、色空間変換された代表画像を動画像に代えてＬＣＤ表示部１６に表示する（ステップＳ２７）。
【００１９】
本発明の第２の実施の形態に係るＤＰＦによれば、ＬＣＤ表示部の色再現範囲と動画像データの色空間とが所定範囲内で等しくない場合には、動画像の表示に代えて代表画像をＬＣＤ表示部に表示するため、映像品質が悪い動画像がＬＣＤ表示部に表示されることを回避することができる。
【００２０】
次に、本発明の第３の実施の形態に係るＤＰＦについて説明する。なお、第３の実施の形態に係るＤＰＦの構成は、図１に示す第１の実施の形態に係るＤＰＦ２の構成と同一である。従って第１の実施の形態と同一の構成についての詳細な説明は省略し、第１の実施の形態と同一の符号を用いて説明する。
【００２１】
図６は、第３の実施の形態に係るＤＰＦ２の表示処理について説明するフローチャートである。まずＣＰＵ４は、メモリカードスロット６に挿入されたメモリカードに記憶されている動画像データを内部メモリ１２に記憶する。また、ＬＣＤ表示部１６からその特性である階調数（ａ値）を取得し（ステップＳ３１）、内部メモリ１２に記憶されている動画像データからその特性である階調数（ｂ値）を取得する（ステップＳ３２）。また、取得したａ値とｂ値とを比較し（ステップＳ３３）、ａ値とｂ値とが等しいまたは所定範囲内で等しいと判別した場合には（ステップＳ３４、Ｙｅｓ）、内部メモリ１２に記憶されている動画像データに基づいて動画像をＬＣＤ表示部１６に表示し（ステップＳ３５）、スピーカ２０からこの動画像データの音声を出力する。
【００２２】
一方、ＣＰＵ４は、ａ値とｂ値とが所定範囲内で等しくないと判別した場合には（ステップＳ３４、Ｎｏ）、内部メモリ１２に記憶されている動画像データから動画像の最初のフレームを代表画像として抽出する（ステップＳ３６）。また、画像処理によりＬＣＤ表示部１６の階調数に基づいて代表画像の階調数をＬＣＤ表示部１６の階調数に合わせるように階調数変換を行い、階調数変換された代表画像を動画像に代えてＬＣＤ表示部１６に表示する（ステップＳ３７）。
【００２３】
本発明の第３の実施の形態に係るＤＰＦによれば、ＬＣＤ表示部の階調数と動画像データの階調数とが所定範囲内で等しくない場合には、動画像の表示に代えてＬＣＤ表示部に表示するため、映像品質が悪い動画像がＬＣＤ表示部に表示されることを回避することができる。
【００２４】
なお、上述の実施の形態においては、代表画像の抽出の方法として動画像データから動画像の最初のフレームを抽出しているが、動画像データに基づく動画像の各フレームにおける画像全体の輝度、色等の画像特徴に関するヒストグラムを特徴量として、特徴量の変化率に基づいて変化率が極端に変化した場合における動画像のフレームを代表画像として抽出するようにしてもよい。また、代表画像の枚数は１枚でも２枚以上でもよく、代表画像が２枚以上抽出された場合には、抽出された代表画像がＬＣＤ表示部１６にスライドショー表示される。
【００２５】
また、上述の第１の実施の形態においては、ＬＣＤ表示部１６の特性である解像度（ａ値）と動画像データ特性である解像度（ｂ値）が等しいか否か、または所定範囲内で等しいか否かを、ＬＣＤ表示部１６の総画素数と動画像データの総画素数の総画素数比が１以上１．５未満の範囲を条件として判別しているが、この範囲はあくまで一例であり必ずしもこの範囲だけに限定されるものでない。
【符号の説明】
【００２６】
２…ＤＰＦ、４…ＣＰＵ、１６…ＬＣＤ表示部、１８…表示制御部。
【図１】
2012088483.tif 000003
【図２】
2012088483.tif 000004
【図３】
2012088483.tif 000005
【図４】
2012088483.tif 000006
【図５】
2012088483.tif 000007
【図６】
2012088483.tif 000008